(57)【要約】【課題】単純な制御で本体装置に適したライトストラテジのパルス幅を決定し、装置の処理負担を少なくする。【解決手段】光ディスク装置１が有するフロントエンド制御部２は、取得した識別情報に対応する固有パルス幅がメモリ２１に記憶されているか否かに基づいて光ディスク１０が既知であるか未知であるか判断する（Ｓ２）。光ディスク１０が未知であると判断した場合、フロントエンド制御部２は、取得したライトストラテジの推奨パルス幅を用いて装置に最適なパルス幅（補正値）を計数する（Ｓ８）。具体的にメモリ２１に記憶されている全てのライトストラテジの固有パルス幅の平均値（固有パルス平均値Ｗ）を計数する。次にメモリ２１に記憶されている全てのライトストラテジの固有パルス幅のそれぞれと推奨パルス幅Ｎとの差分値の平均値（差分平均値Ｍ）を計数する。固有パルス平均値Ｗと差分平均値Ｍとを足して補正値Ｘを計数する。【選択図】図２
2007280511.tif 000002
【特許請求の範囲】
【請求項１】
本体にセットされた光ディスクの識別情報とライトストラテジの推奨パルス幅とを読み出す読出手段と、
光ディスクの識別情報とライトストラテジの固有パルス幅との関係を記憶するストラテジ記憶手段と、
レーザ光を本体装置にセットされた光ディスクに照射してデータを記録する記録手段と、を有する追記型の光ディスク装置において、
前記読出手段によって読み出された識別情報に対応する前記固有パルス幅が前記ストラテジ記憶手段に記憶されているか否かに基づいて、本体装置にセットされた光ディスクが既知であるか未知であるかを判定する判定手段と、
前記判定手段によって光ディスクが未知であると判定された際、前記ストラテジ記憶手段に記憶されている全ての前記固有パルス幅の和の平均値である固有パルス平均値と前記読出手段によって読み出された前記推奨パルス幅との差分値、及び、前記固有パルス平均値の和である補正値を計数する計数手段と、
前記判定手段によって光ディスクが未知であると判定された際、前記補正値をライトストラテジの固有パルス幅として、前記読出手段によって読み出された識別情報に関係づけて前記記憶手段に格納する制御手段と、を備え
前記記録手段は、前記判定手段によって光ディスクが既知であると判定された際、前記読出手段によって読み出された識別情報に基づいて前記ストラテジ記憶手段から読み出した前記固有パルス幅を用いて変調したレーザ光を本体装置にセットされた光ディスクに照射し、前記判定手段によって光ディスクが未知であると判定された際、前記補正値を用いてパルス変調したレーザ光を本体装置にセットされた光ディスクに照射することを特徴とする光ディスク装置。
【請求項２】
本体装置にセットされた光ディスクの識別情報とライトストラテジの推奨パルス幅とを読み出す読出手段と、
光ディスクの識別情報とライトストラテジの固有パルス幅との関係を記憶するストラテジ記憶手段と、
レーザ光を本体装置にセットされた光ディスクに照射してデータを記録する記録手段と、を有する追記型の光ディスク装置において、
前記読出手段によって読み出された識別情報に対応する前記固有パルス幅が前記ストラテジ記憶手段に記憶されているか否かに基づいて、本体装置にセットされた光ディスクが既知であるか未知であるかを判定する判定手段と、
前記判定手段によって光ディスクが未知であると判定された際、前記ストラテジ記憶手段に記憶されている全ての前記固有パルス幅の和の平均値である固有パルス平均値と前記読出手段によって読み出された前記推奨パルス幅との差分値、及び、前記固有パルス平均値に基づいて補正値を計数する計数手段と、を備え、
前記記録手段は、前記判定手段によって光ディスクが既知であると判定された際、前記読出手段によって読み出された識別情報に基づいて前記ストラテジ記憶手段から読み出した前記固有パルス幅を用いて変調したレーザ光を本体装置にセットされた光ディスクに照射し、前記判定手段によって光ディスクが未知であると判定された際、前記補正値を用いてパルス変調したレーザ光を本体装置にセットされた光ディスクに照射することを特徴とする光ディスク装置。
【請求項３】
前記補正値は、前記差分値と前記固有パルス平均値との和であることを特徴とする請求項２に記載の光ディスク装置。
【請求項４】
前記判定手段によって光ディスクが未知であると判定された際、前記補正値をライトストラテジの固有パルス幅として、前記読出手段によって読み出された識別情報に関係づけて前記記憶手段に格納する制御手段を備えたことを特徴とする請求項２又は３の何れかに記載の光ディスク装置。
【発明の詳細な説明】
【技術分野】
【０００１】
本発明は、ＤＶＤ±Ｒの追記型の光ディスクにデータを記録する光ディスク装置に関する。
【背景技術】
【０００２】
従来、ＤＶＤ±Ｒの追記型の光ディスクにデータを記録する光ディスク装置は、データに応じたマークを順番に光ディスクの記録面に形成されているトラックに形成することでデータの記録を行う。このマークは、周知のライトストラテジに基づいてパルス変調したレーザ光を光ディスクに照射することで形成される。
【０００３】
ライトストラテジは、光ディスクへの書込制御方法であり、ライトパワーのレーザ光をパルス状に間欠的に照射し、各パルス間はボトムパワーまでパワーレベルを下げて記録層の急冷が促進されるようにしたマルチパルス方式でマークの記録を行う。
【０００４】
このライトストラテジは、光ディスクの種類毎にトップパルス、マルチパルスのパルス幅の最適な値が異なるため、光ディスク装置の記憶手段には光ディスクの種類毎に最適なライトストラテジのパルス幅が記憶されている。
【０００５】
光ディスクは、次々と多くの種類の製品が発売されているので、予め各種類の光ディスクに最適なパルス幅を記憶していても、その後に発売された光ディスクの種類には対応できない。そのため、対応していない種類の光ディスクに対しては、例えば未使用の光ディスクに予め記録されているライトストラテジの推奨パルス幅を用いてデータの記録を行っていた。
【０００６】
ところが、最適なライトストラテジのパルス幅は各光ディスク装置の仕様等によって異なってくるため、推奨パルス幅であっても適切にデータが記録できない場合がある。
【０００７】
そこで、近年の光ディスク装置には、読み出した光ディスクに記録されているライトストラテジの推奨値と記録に用いられる光ディスク装置の光ピックアップの光学系の特性とに基づいて装置に適したライトストラテジのパルス幅等を決定し、記録を行うものがある（例えば、特許文献１参照。）。
【特許文献１】特開２００５−３２２３１２号公報
【発明の開示】
【発明が解決しようとする課題】
【０００８】
しかしながら、上述の特許文献１の構成では、光ディスクの最適なライトストラテジのパルス幅等を決定するための制御が複雑となる。また、特許文献１の構成では、ライトストラテジの記憶手段を設けておらず、本体装置にセットされた光ディスクに対して常にライトストラテジのパルス幅等を求めている。そのため、装置の処理負担が大きくなってしまっている。
【０００９】
この発明の目的は、単純な制御で本体装置に適したライトストラテジのパルス幅を決定し、装置の処理負担の少ない追記型の光ディスク装置を提供することにある。
【課題を解決するための手段】
【００１０】
本発明は、上述の課題を解決するための手段を以下のように構成している。
【００１１】
（１）本体装置にセットされた光ディスクの識別情報とライトストラテジの推奨パルス幅とを読み出す読出手段と、
光ディスクの識別情報とライトストラテジの固有パルス幅との関係を記憶するストラテジ記憶手段と、
レーザ光を本体装置にセットされた光ディスクに照射してデータを記録する記録手段と、を有する追記型の光ディスク装置において、
前記読出手段によって読み出された識別情報に対応する前記固有パルス幅が前記ストラテジ記憶手段に記憶されているか否かに基づいて、本体装置にセットされた光ディスクが既知であるか未知であるかを判定する判定手段と、
前記判定手段によって光ディスクが未知であると判定された際、前記ストラテジ記憶手段に記憶されている全ての前記固有パルス幅の和の平均値である固有パルス平均値と前記読出手段によって読み出された前記推奨パルス幅との差分値、及び、前記固有パルス平均値の和である補正値を計数する計数手段と、
前記判定手段によって光ディスクが未知であると判定された際、前記補正値をライトストラテジの固有パルス幅として、前記読出手段によって読み出された識別情報に関係づけて前記記憶手段に格納する制御手段と、を備え
前記記録手段は、前記判定手段によって光ディスクが既知であると判定された際、前記読出手段によって読み出された識別情報に基づいて前記ストラテジ記憶手段から読み出した前記固有パルス幅を用いて変調したレーザ光を本体装置にセットされた光ディスクに照射し、前記判定手段によって光ディスクが未知であると判定された際、前記補正値を用いてパルス変調したレーザ光を本体装置にセットされた光ディスクに照射することを特徴とする。
【００１２】
この構成においては、本体装置にセットされた光ディスクが既知である場合、この光ディスクの識別情報に対応するライトストラテジの固有パルス幅がストラテジ記憶手段から読み出され、この固有パルス幅を用いて変調されたレーザ光が光ディスクに照射される。
【００１３】
一方、本体装置にセットされた光ディスクが未知である場合、ライトストラテジの推奨パルス幅と固有パルス平均値との差分値と、固有パルス平均値との和から補正値が計数される。その後、補正値を用いて変調されたレーザ光が光ディスクに照射される。
【００１４】
ストラテジ記憶手段に記憶されている固有パルス幅のそれぞれは、等しい値ではないが大きく異なることはない。したがって、固有パルス平均値は基準となるパルス幅となる。また、推奨パルス幅と固有パルス平均値との差分値は、固有パルス平均値に対して推奨パルス幅がどの程度ずれているかを示す値である。つまり、固有パルス平均値を基準とし、固有パルス平均値に対しての推奨パルス幅のずれ量である差分値を用いて、固有パルス平均値をオフセットした値を補正値としている。
【００１５】
したがって、本体装置に最適な固有パルス幅の平均に対して、推奨パルス幅のずれ量を考慮して補正値が決定されているので、本体装置に適したライトストラテジのパルス幅を設定することができ、未知の光ディスクがセットされても正確にデータを記録することができる。これにより、単純な制御で本体装置に適したライトストラテジのパルス幅を決定でき、且つ、本体装置の処理負担を軽減することができる。
【００１６】
（２）本体装置にセットされた光ディスクの識別情報とライトストラテジの推奨パルス幅とを読み出す読出手段と、
光ディスクの識別情報とライトストラテジの固有パルス幅との関係を記憶するストラテジ記憶手段と、
レーザ光を本体装置にセットされた光ディスクに照射してデータを記録する記録手段と、を有する追記型の光ディスク装置において、
前記読出手段によって読み出された識別情報に対応する前記固有パルス幅が前記ストラテジ記憶手段に記憶されているか否かに基づいて、本体装置にセットされた光ディスクが既知であるか未知であるかを判定する判定手段と、
前記判定手段によって光ディスクが未知であると判定された際、前記ストラテジ記憶手段に記憶されている全ての前記固有パルス幅の和の平均値である固有パルス平均値と前記読出手段によって読み出された前記推奨パルス幅との差分値、及び、前記固有パルス平均値に基づいて補正値を計数する計数手段と、を備え、
前記記録手段は、前記判定手段によって光ディスクが既知であると判定された際、前記読出手段によって読み出された識別情報に基づいて前記ストラテジ記憶手段から読み出した前記固有パルス幅を用いて変調したレーザ光を本体装置にセットされた光ディスクに照射し、前記判定手段によって光ディスクが未知であると判定された際、前記補正値を用いてパルス変調したレーザ光を本体装置にセットされた光ディスクに照射することを特徴とする。
【００１７】
この構成においては、本体装置にセットされた光ディスクが既知である場合、この光ディスクの識別情報に対応するライトストラテジの固有パルス幅がストラテジ記憶手段から読み出され、この固有パルス幅を用いて変調されたレーザ光が光ディスクに照射される。
【００１８】
一方、本体装置にセットされた光ディスクが未知である場合、ライトストラテジの推奨パルス幅と固有パルス平均値との差分値と、固有パルス平均値とから補正値が計数される。その後、補正値を用いて変調されたレーザ光が光ディスクに照射される。
【００１９】
ストラテジ記憶手段に記憶されている固有パルス幅のそれぞれは、等しい値ではないが大きく異なることはない。したがって、固有パルス平均値は基準となるパルス幅となる。また、推奨パルス幅と固有パルス平均値との差分値は、固有パルス平均値に対して推奨パルス幅がどの程度ずれているかを示す値である。つまり、本体装置に最適な固有パルス幅の平均値に対して、推奨パルス幅のずれ量を考慮して補正値が決定されている。
【００２０】
したがって、例えば固有パルス平均値を基準とし、固有パルス平均値に対する推奨パルス幅のずれ量である差分値を用いて、固有パルス平均値をオフセットした値を補正値とすることで、本体装置に適したライトストラテジのパルス幅を設定することができ、未知の光ディスクがセットされても正確にデータを記録することができる。
【００２１】
これにより、単純な制御で本体装置に適したライトストラテジのパルス幅を決定でき、且つ、本体装置の処理負担を軽減することができる。
【００２２】
（３）前記補正値は、前記差分値と前記固有パルス平均値との和であることを特徴とする。
【００２３】
この構成においては、固有パルス平均値を基準とし、固有パルス平均値に対する推奨パルス幅のずれ量である差分値を用いて固有パルス平均値をオフセットした値を補正値としている。したがって、本体装置に最適な固有パルス幅の平均に対して、推奨パルス幅のずれ量を考慮して補正値が決定されているので、本体装置に適したライトストラテジのパルス幅を設定することができ、正確にデータを光ディスクに記録することができる。
【００２４】
（４）前記判定手段によって光ディスクが未知であると判定された際、前記補正値をライトストラテジの固有パルス幅として、前記読出手段によって読み出された識別情報に関係づけて前記記憶手段に格納する制御手段を備えたことを特徴とする。
【００２５】
この構成においては、補正値がライトストラテジの固有パルス幅として、未知であると判定された光ディスクの識別情報と関係づけて記憶手段に追加される。したがって、次回、同種類の光ディスクが本体装置にセットされた場合は、既知の光ディスクと判定されてデータの記録が行われる。これにより、本体装置にセットされる毎に補正値を計数する必要がなく、本体装置の処理負担をより軽減することができる。
【発明の効果】
【００２６】
この発明では、単純な制御で本体装置に適したライトストラテジのパルス幅を決定でき、且つ、本体装置の処理負担を軽減することができる。
【発明を実施するための最良の形態】
【００２７】
図１は、この発明の実施形態である光ディスク装置の主要部の構成を示す図である。この発明の本体装置である光ディスク装置１は、フロントエンド制御部２、ピックアップヘッド３、信号処理部４、記録／読取制御部５、サーボ制御部、エンコード部７及びデコード部８等から構成されている。光ディスク装置１は、セットされた光ディスク（本実施形態ではＤＶＤ＋Ｒ）１０にデータを記録し、また記録されているデータを読み取る。
【００２８】
この発明の制御手段に相当するフロントエンド制御部２は、光ディスク１０に対するデータの記録や、光ディスク１０からのデータの読み取りに対するフロントエンド側の各部の動作を制御する。この発明の読出手段であるピックアップヘッド３は、光ディスク１０に対してレーザ光を照射する発光素子（ＬＤ）や、光ディスク１０からの反射光を検出する受光素子（ＰＤ）等を有する。また、ピックアップヘッド３は、図示しないレッドモータによって、本体装置にセットされている光ディスク１０の半径方向に移動自在に取り付けられている。さらに、ピックアップヘッド３には対物レンズ（不図示）が設けられている。対物レンズは、２軸のアクチュエータに支持され、このアクチュエータの駆動により本体装置にセットされている光ディスク１０に対して接離する方向、および半径方向に移動する。
【００２９】
信号処理部４は、ピックアップヘッド３に設けられた受光素子の出力を処理し、フォーカスエラー（ＦＥ信号）、トラッキングエラー信号（ＴＥ信号）、データの読取信号（ＲＦ信号）等を生成し、出力する。ＦＥ信号は、光ディスク１０の記録面とピックアップヘッド３から照射されているレーザ光の集光位置とのズレ量を示す。ＴＥ信号は、ピックアップヘッド３から照射されているレーザ光の照射位置と光ディスク１０のトラックの中心とのズレ量を示す。ＲＦ信号は、光ディスク１０に記録されているデータの読取信号である。
【００３０】
この発明の記録手段である記録／読取制御部５は、光ディスク１０へのデータの記録時や光ディスクからのデータの読取時に、光ディスク１０に照射するレーザ光を制御する。サーボ制御部６は、フォーカスサーボ制御及びトラッキングサーボ制御等を行う。フォーカスサーボ制御は、ＦＥ信号に基づいてピックアップヘッド３の対物レンズを光ディスク１０に接離ずる方向に移動させる。トラッキングサーボ制御は、ＴＥ信号に基づいてピックアップヘッド３、またはピックアップヘッド３の対物レンズを光ディスク１０の半径方向に移動させる。
【００３１】
エンコード部７は、光ディスク１０に記録するデータをエンコードする。光ディスク１０に記録すべきデータは、図示していないバックエンド部側から、エンコード部７に入力される。エンコード部７は、エンコードしたデータに基づく記録信号（ＮＲＺＩ）を記録／読取制御部５や、サーボ制御部６に入力する。デコード部８は、信号処理部４から入力されたＲＦ信号から光ディスク１０に記録されているデータを取り出し、デコードする。また、デコード部８は、デコードしたデータをバックエンド側に送る。
【００３２】
なお、光ディスク１０に記録されているデータを読み取る読取処理については、周知の装置と同じであるので説明は省略する。また、図１では、光ディスク装置１のバックエンド側の構成については図示を省略している。バックエンド側は、光ディスク１０に記録するデータの入力を受け付ける処理や、光ディスク１０から読み取ったデータを出力する処理、さらには本体装置に対するユーザの入力操作を受け付ける処理等を行う。
フロントエンド制御部２は、メモリ２１を備えている。メモリ２１には、光ディスク１０の種類毎に、記録時におけるレーザ出力のパルス変調を規定したライトストラテジの固有パルス幅が予め記憶されている。フロントエンド制御部２は、本体装置にセットされた光ディスク１０に予め記録されている識別情報に対応する固有パルス幅を読み出して、ライトストラテジのパルス幅として用いる。なお、メモリ２１は、本発明のストラテジ記憶手段に相当する。
【００３３】
ここで、識別情報は、例えば光ディスク１０に予め記録されているメーカの型番による分類である。同じ種別の光ディスク１０であっても、異なる型番の光ディスク１０では、記録面の組成が異なり、その結果データの記録特性が異なっている。この識別情報は、光ディスク１０のＯＰＣ領域の内周側に記録されているＡＤＩＰ情報に後述するライトストラテジの推奨パルス幅の値とともに含まれている。また、識別情報は、推奨パルス幅とともに記録／読取制御部５に読み取られてフロントエンド制御部２に出力される。
【００３４】
記録／読取制御部５は、エンコード部７から入力された記録信号に応じたマークをレーザ光の照射により光ディスク１０に形成する。また、記録／読取制御部５は、光ディスク１０に照射するレーザ光のライトストラテジによるパルス変調や、レーザパワーの制御を行う。また、光ディスク１０からのデータの読取時においては、光ディスク１０に照射するレーザ光のパワーを制御する。
【００３５】
さらに、記録／読取制御部５は、アシンメトリ検出部５１を備えている。アシンメトリ検出部５１は、ＯＰＣの実行時の光ディスク１０のＯＰＣ領域を再生している時に、信号処理部４から出力されるＲＦ信号からパラメータとしてβ（アシンメトリ）を算出する。ここで、βは、信号波形のピークレベル（符号は＋）をａ、ボトムレベル（符号は−）をｂとすると、β＝（ａ＋ｂ）／（ａ−ｂ）で求めることができる。ＯＰＣは、このβ値を用いて記録／読取制御部５によって実行される。
【００３６】
ＯＰＣは、本体装置にセットされている光ディスクに設けられているＯＰＣ領域に対して、レーザ光のパワーを変動させながら試し書きを行い、最適記録パワーを確認する処理である。記録／読取制御部５は、試し書きを行った領域を再生している時に出力されるＲＦ信号からのβ値が、目標β値となるレーザパワーを最適記録パワーとして取得する。本実施形態の目標β値は、０．０５０に設定されている。これは、βの規格値である−０．０５０〜０．１５０の中央の値を設定したものである。
図２は、この発明の実施形態に係る光ディスク装置１にセットされた光ディスク１０にデータを記録する記録処理を示すフローチャートである。フロントエンド制御部２は、バックエンド側から光ディスク１０へのデータの記録開始の指示が入力されると、本体装置にセットされた光ディスク１０の識別情報を取得する（Ｓ１）。なお、Ｓ１の処理で識別情報とともにライトストラテジの推奨パルス幅も取得する。
【００３７】
次に、本体装置にセットされた光ディスク１０が既知であるか未知であるかを判断する（Ｓ２）。具体的には、取得した識別情報に対応する固有パルス幅がメモリ２１に記憶されているか否かに基づいて判断する。したがって、フロントエンド制御部２は、本発明の判定手段にも相当する。
【００３８】
Ｓ２の処理で対応する固有パルス幅があって光ディスク１０が既知であると判断した場合、フロントエンド制御部２は、対応する固有パルス幅をメモリ２１から読み出し、ライトストラテジのパルス幅として記録／読取処理部５等に出力する（Ｓ３）。次に、フロントエンド制御部２は、記録前処理を行う（Ｓ４）。具体的には、上述したＯＰＣ等の周知の処理を行う。
【００３９】
その後、光ディスク１０にデータの記録を開始し（Ｓ５）、バックエンド側から光ディスク１０へのデータの記録終了の信号を受信する（Ｓ６）まで記録を継続して行う。光ディスク１０へのデータの記録は、周知のように記録すべきデータに応じたマークを順番に記録する。具体的には、エンコード部７がエンコードしたデータに応じた記録信号（ＮＲＺＩ）を記録／読取処理部５に入力する。
【００４０】
この記録信号は、図３（Ａ）に示すように、光ディスク１０に形成するマークに応じた幅のマーク期間と、２つのマーク期間の間に位置するスペース期間との繰り返し信号である。図３（Ａ）では、８Ｔ、３Ｔのマークを光ディスク１０にこの順に形成させる記録信号の例を示している。
図３（Ｂ）は、図３（Ａ）に示す記録信号が入力されたとき、記録／読取処理部５が光ディスク１０に照射するレーザ光のパルス変調したライトパルス信号を示す図である。ライトストラテジのパルス幅は、このライトパルス信号のトップパルスＰ、マルチパルスＱのパルス幅を規定する。
【００４１】
記録／読取処理部５は、Ｓ３の処理の際にフロントエンド制御部２から出力されたライトストラテジのパルス幅に基づいて、図３（Ｂ）に示すライトパルス信号におけるトップパルスＰ、マルチパルスＱのパルス幅を設定する。その後、記録／読取処理部５は、Ｓ４の処理の際に、設定したパルス幅に基づいて変調したライトパルス信号のレーザ光をピックアップヘッド３の発光素子（ＬＤ）から照射させる。
【００４２】
図３（Ｂ）に示すライトパルス信号のレーザ光のピークレベルＡがＯＰＣで取得した最適記録パワーである。また、ボトムレベルＢが光ディスク１０に記録されたデータを読み取るときの読取パワーである。
その後、Ｓ６の処理で光ディスク１０へのデータの記録終了の信号を受信したと判断した場合、フロントエンド制御部２は、光ディスク１０へのデータの記録を停止し（Ｓ７）、処理を終了する。
【００４３】
一方、Ｓ２の処理で対応する固有パルス幅がなくて光ディスク１０が未知であると判断した場合、フロントエンド制御部２は、Ｓ１の処理で取得したライトストラテジの推奨パルス幅を用いて本体装置に最適なパルス幅（補正値）を計数する（Ｓ８）。したがって、フロントエンド制御部２は、本発明の計数手段にも相当する。なお、推奨パルス幅は、本体装置にセットされた光ディスク１０のライトストラテジのパルス幅の推奨値を示す。
【００４４】
具体的には、メモリ２１に記憶されている全てのライトストラテジの固有パルス幅の和の平均値である固有パルス平均値Ｗを計数する。次に、メモリ２１に記憶されている全てのライトストラテジの固有パルス幅のそれぞれと、推奨パルス幅Ｎとの差分値の平均値である差分平均値Ｍを計数する。さらに、固有パルス平均値Ｗと差分平均値Ｍとを足して補正値Ｘを計数する。つまり、補正値Ｘ＝固有パルス平均値Ｗ＋差分平均値Ｍである。
【００４５】
なお、差分平均値Ｍは、（固有パルス平均値Ｗ−推奨パルス幅Ｎ）と等しいので、補正値Ｘは、固有パルス平均値Ｗと（固有パルス平均値Ｗ−推奨パルス幅Ｎ）との和（２×固有パルス平均値Ｗ−推奨パルス幅Ｎ）から求めても同じ結果となる。つまり、補正値Ｘは、固有パルス平均値Ｗと固有パルス平均値Ｗ及び推奨パルス幅Ｎの差分値とから求められる。
【００４６】
メモリ２１に記憶されている固有パルス幅のそれぞれは、等しい値ではないが大きく異なることはない。したがって、固有パルス平均値Ｗは基準となるパルス幅となる。また、推奨パルス幅Ｎと固有パルス平均値Ｗとの差分値は、固有パルス平均値Ｗに対して推奨パルス幅Ｎがどの程度ずれているかを示す値である。つまり、固有パルス平均値Ｗを基準とし、固有パルス平均値Ｗに対しての推奨パルス幅Ｎのずれ量である差分値を用いて固有パルス平均値Ｗをオフセットした値を補正値Ｘとしている。
【００４７】
したがって、本体装置に最適な固有パルス幅の平均に対して、推奨パルス幅Ｎのずれ量を考慮して補正値Ｘが決定されているので、対応する固有パルス幅がメモリ２１に記憶されてなくても、本体装置に適したライトストラテジのパルス幅を設定することができ、正確にデータを光ディスクに記録することができる。これにより、単純な制御で本体装置に適したライトストラテジのパルス幅を決定でき、且つ、本体装置の処理負担を軽減することができる。
【００４８】
その後、フロントエンド制御部２は、補正値Ｘをライトストラテジのパルス幅として記録／読取処理部５等に出力し（Ｓ９）、Ｓ４の処理に移行する。
【００４９】
なお、計数した補正値を固有パルス幅として光ディスク１０の識別情報と関係づけてメモリ２１に追加する構成としてもよい。これにより、次回、同種類の光ディスク１０が本体装置にセットされた場合は、既知の光ディスク１０と判定されてデータの記録が行われる。これにより、本体装置にセットされる毎に補正値を計数する必要がなく、本体装置の処理負担をより軽減することができる。
【００５０】
また、本実施形態では、ＤＶＤ＋Ｒについて説明したが、ＤＶＤ−Ｒの追記型の光ディスクにデータを記録する場合であっても本発明を適用可能である。
【図面の簡単な説明】
【００５１】
【図１】この発明の実施形態である光ディスク装置の主要部の構成を示す図である。
【図２】同光ディスク装置にセットされた光ディスクにデータを記録する記録処理を示すフローチャートである。
【図３】追記型の光ディスクにおける記録信号に対するライトパルス信号の関係を示す説明図である。
【符号の説明】
【００５２】
１−光ディスク装置
２−フロントエンド制御部
４−信号処理部
５−記録／読取制御部、
１０−光ディスク
２１−メモリ
【図１】
2007280511.tif 000003
【図２】
2007280511.tif 000004
【図３】
2007280511.tif 000005